(57)【要約】【課題】拍動する診断対象物に対しても超音波探触子を安定して所望位置で保持することが可能な貼着装置を提供すること。【解決手段】超音波探触子9を被検体103に貼着する貼着装置101を次のように構成する。前記超音波探触子9の超音波送受波面9aを前記被検体103に対して露出させた状態で、当該超音波探触子9を収容する収容体7と、所定の吸引圧で前記被検体103に吸着する吸着口5aが設けられ、該吸着口5aによる前記被検体103への吸着により前記収容体7を前記被検体103に圧接させる吸着部5と、連続的に空気吸引を行うことで前記吸着口5a内部を負圧に維持して前記吸着口5aに前記所定の吸引圧を生じさせる吸引機1aと、一端が前記吸着口5aに連結され、且つ、他端が前記吸引機1aに連結され、前記吸引機1aによる吸引圧を前記吸着口5aに伝達する空圧供給管3と、を貼着装置101に具備させる。【選択図】図１
2011172736.tif 000002
【特許請求の範囲】
【請求項１】
超音波探触子を被検体に貼着する貼着装置であって、
前記超音波探触子の超音波送受波面を前記被検体に対して露出させた状態で、当該超音波探触子を収容する収容体と、
所定の吸引圧で前記被検体に吸着する吸着口が設けられ、該吸着口による前記被検体への吸着により前記収容体を前記被検体に圧接させる吸着部と、
連続的に空気吸引を行うことで前記吸着口内部を負圧に維持して前記吸着口に前記所定の吸引圧を生じさせる吸引機と、
一端が前記吸着口に連結され、且つ、他端が前記吸引機に連結され、前記吸引機による吸引圧を前記吸着口に伝達する空圧供給管と、
を具備する貼着装置。
【請求項２】
前記吸着部には複数の吸着口が設けられており、
前記複数の吸着口は、同一の吸引機に連結されている請求項１に記載の貼着装置。
【請求項３】
前記吸着部には複数の吸着口が設けられており、
前記複数の吸着口は、それぞれ別個の吸引機に連結されている請求項１に記載の貼着装置。
【請求項４】
前記収容体を前記吸着部に対して回動可能に連結する蝶番と、
前記収容体を回動させることで、前記収容体に収容された前記超音波探触子の前記被検体に対する角度を調整する角度調整手段と、
を含む請求項１乃至請求項３のうち何れか一つに記載の貼着装置。
【請求項５】
前記吸着部には螺子孔が設けられ、
前記角度調整手段は、前記吸着部に設けられた螺子孔を貫通する螺子部材である請求項４に記載の貼着装置。
【請求項６】
前記吸着部には貫通孔が設けられ、
前記角度調整部は、前記吸着部に設けられた貫通孔を貫通する棒状部材であり、該棒状部材の外径は前記貫通孔の内径よりも大きい請求項５に記載の貼着装置。
【請求項７】
前記吸引圧を調整する吸引圧調整手段を含む請求項１乃至請求項６のうち何れか一つに記載の貼着装置。
【請求項８】
前記吸引圧調整手段が、前記吸引圧を調整する為の調節弁である請求項７に記載の貼着装置。
【請求項９】
吸引圧調整手段が、前記吸着口の吸引圧を検出する空圧センサを含む請求項７または請求項８に記載の貼着装置。
【請求項１０】
前記空圧センサで検出された吸引圧を表示する吸引圧表示手段を含む請求項９に記載の貼着装置。
【請求項１１】
前記空圧センサで検出された吸引圧に基づいて前記吸引圧調整手段を制御する制御手段を含む請求項９または請求項１０に記載の貼着装置。
【請求項１２】
前記吸引調整手段が、前記吸引圧調整手段を操作する吸引圧操作手段を含む請求項７乃至請求項１０のうち何れか一つに記載の貼着装置。
【請求項１３】
前記吸着部における前記被検体との接触面には、弾性部材が設けられている請求項１乃至請求項１２のうち何れか一つに記載の貼着装置。
【請求項１４】
前記超音波探触子と前記被検体との接触面には、スペーサ部材が設けられている請求項１乃至請求項１３のうち何れか一つに記載の貼着装置。
【請求項１５】
前記スペーサ部材の前記被検体と接触する側の面が、前記超音波探触子の前記スペーサ部材側の面に対して傾斜している請求項１４に記載の貼着装置。
【発明の詳細な説明】
【技術分野】
【０００１】
本発明は、被検体表面に超音波探触子を貼着する貼着装置に関する。
【背景技術】
【０００２】
従来より、被検体の内部にある診断対象部位に対して超音波を送信してそのエコー信号を受信し、このエコー信号に基づいて診断対象部位の状態を検出する超音波診断装置が知られている。この超音波診断装置では、超音波を送受波する超音波探触子を診断対象部位近傍の体表に当接または近接させて診断を行う。
【０００３】
ところで、近年、超音波診断において、診断対象部位の一時的な状態だけでなく、その経時変化や、被検体に何らかの負荷を加えた前後での変化を取得したいという要望がある。かかる要望を満たすためには、超音波探触子の位置を固定した状態で保持する必要がある。しかしながら、人の手により超音波探触子を所望位置で安定して保持することは困難である。
【０００４】
また、近年、小型の超音波探触子を用い、当該超音波探触子を粘着テープ等で被検体表面に貼着することで、その位置を保持する方法も提案されている。しかしながら、このような方法を用いた場合であっても、超音波探触子を所望位置で安定して保持することは困難である。
【０００５】
そこで、特許文献１に開示されている技術では、超音波探触子を被検体の体表に貼着する貼着装置に、略皿状であってその内部の圧力を変化させることにより前記被検体の体表に吸着する吸着部材（いわゆる吸盤）と、前記吸着部材の内側に固着され、前記超音波探触子の超音波の送受波面を露出させて前記超音波探触子を収容する収容体と、を具備させている。このような構成により、特許文献１に開示されている技術では、安定した超音波探触子の保持を目指している。
【先行技術文献】
【特許文献】
【０００６】
【特許文献１】特開２００６−２３０９１３号公報
【発明の概要】
【発明が解決しようとする課題】
【０００７】
ところで、診断対象物が例えば心臓のように拍動する場合には、その診断対象物に対して超音波探触子を安定して所望位置で保持することは困難である。当然ながら、特許文献１に開示されている技術のように“吸盤”を利用したのでは、拍動する診断対象物に対して超音波探触子を安定して所望位置で保持することは困難である。
【０００８】
本発明は、前記の事情に鑑みて為されたものであり、拍動する診断対象物に対しても超音波探触子を安定して所望位置で保持することが可能な貼着装置を提供することを目的とする。
【課題を解決するための手段】
【０００９】
前記の目的を達成するために、本発明の第１の態様による貼着装置は、
超音波探触子を被検体に貼着する貼着装置であって、
前記超音波探触子の超音波送受波面を前記被検体に対して露出させた状態で、当該超音波探触子を収容する収容体と、
所定の吸引圧で前記被検体に吸着する吸着口が設けられ、該吸着口による前記被検体への吸着により前記収容体を前記被検体に圧接させる吸着部と、
連続的に空気吸引を行うことで前記吸着口内部を負圧に維持して前記吸着口に前記所定の吸引圧を生じさせる吸引機と、
一端が前記吸着口に連結され、且つ、他端が前記吸引機に連結され、前記吸引機による吸引圧を前記吸着口に伝達する空圧供給管と、
を具備する。
【発明の効果】
【００１０】
本発明によれば、拍動する診断対象物に対しても超音波探触子を安定して所望位置で保持することが可能な貼着装置を提供することができる。
【図面の簡単な説明】
【００１１】
【図１】本発明の第１実施形態に係る貼着装置の構成例（Ａ）を示す図。
【図２】構成例（Ａ）に係る貼着装置の吸着部、収容体、及び超音波探触子を、図１に示す矢印Ａの方向から観た断面図（上面断面図）。
【図３】本発明の第１実施形態に係る貼着装置の構成例（Ｂ）を示す図。
【図４】構成例（Ｂ）に係る貼着装置の吸着部、収容体、及び超音波探触子を、図３に示す矢印Ａの方向から観た断面図（上面断面図）。
【図５】本発明の第１実施形態に係る貼着装置の構成例（Ｃ）を示す図。
【図６】本発明の第２実施形態に係る貼着装置の構成例（Ｄ）を示す図。
【図７】構成例（Ｄ）に係る貼着装置の吸着部、収容体、及び超音波探触子を、図６に示す矢印Ａの方向から観た断面図（上面断面図）。
【図８】本発明の第２実施形態に係る貼着装置の構成例（Ｅ）を示す図。
【図９】構成例（Ｅ）に係る貼着装置の吸着部、収容体、及び超音波探触子を、図８に示す矢印Ａの方向から観た断面図（上面断面図）。
【図１０】本発明の第３実施形態に係る貼着装置の構成例（Ｆ）を示す図。
【図１１】本発明の第３実施形態に係る貼着装置の構成例（Ｇ）を示す図。
【図１２】本発明の第３実施形態に係る貼着装置の構成例（Ｈ）を示す図。
【図１３】本発明の第３実施形態に係る貼着装置の構成例（Ｉ）を示す図。
【図１４】本発明の第３実施形態に係る貼着装置の構成例（Ｊ）を示す図。
【図１５】本発明の第４実施形態に係る貼着装置の構成例（Ｋ）を示す図。
【図１６】構成例（Ｋ）に係る貼着装置の吸着部、収容体、及び超音波探触子を、図１５に示す矢印Ａの方向から観た断面図（上面断面図）。
【図１７】本発明の第４実施形態に係る貼着装置の構成例（Ｌ）を示す図。
【図１８】構成例（Ｌ）に係る貼着装置の吸着部、収容体、及び超音波探触子を、図１７に示す矢印Ａの方向から観た断面図（上面断面図）。
【図１９】構成例（Ｍ）に係る貼着装置の吸着部、収容体、及び超音波探触子の上面断面図。
【図２０】本発明の実施形態に係る貼着装置の構成の一変形例を示す図。
【図２１】本発明の実施形態に係る貼着装置の構成の一変形例を示す図。
【図２２】本発明の実施形態に係る貼着装置の構成の一変形例を示す図。
【発明を実施するための形態】
【００１２】
[第１実施形態]
以下、本発明の第１実施形態に係る貼着装置について、図面を参照して説明する。
<構成例（Ａ）>
図１は、本発明の第１実施形態に係る貼着装置の構成例（Ａ）を示す図である。
貼着装置１０１は、吸引機構１と、空圧供給管３と、吸着部５と、収容体７と、を具備する。以下、貼着装置１０１によって、超音波探触子９を被検体１０３における所望の位置に貼り付けて安定して保持する場合を例に説明する。
【００１３】
前記吸引機構１は、吸引機１ａと、吸引圧調整手段と、リザーバ１ｄと、を有する。吸引圧調整手段は、レギュレータ１ｂと、圧力メータ１ｃと、を備える。
前記吸引機１ａは、空圧供給管３を介して、吸着部５が備える吸着口５ａ内を大気圧に対して負圧に設定する為の空気吸引手段である。
【００１４】
前記レギュレータ１ｂは、前記吸引機１ａによる吸引圧を制御する為の吸引圧制御装置である。
前記圧力メータ１ｃは、前記吸引機１ａによる吸引圧を検出してユーザに呈示する。つまり、圧力メータ１ｃは、空圧センサならびに吸引圧表示手段である。
【００１５】
前記リザーバ１ｄは、吸引機１ａにより吸引された空気中の液体成分及び固体成分をフィルタリングして除去する為の装置である。また、吸引圧を調整するための予備タンクとしても使うことができる。この場合、リザーバ１ｄは、吸引圧調整手段の構成要素として含まれる。リザーバ１ｄは、このようなフィルタリングや予備タンクの用途のために適宜設けることができる。
【００１６】
前記空圧供給管３は、吸着部５が備える吸着口５ａと吸引機１ａとを連結するチューブ状部材である。
前記吸着部５は、被検体１０３に吸着する為の吸着口５ａと、収容体７を収納する為の収容体収納部５ｂと、を備える。前記吸着部５は、吸着口５ａの吸引圧により被検体１０３に吸着し、これにより、収容体収納部５ｂに収納した収容体７を前記被検体１０３表面に圧接させる。
【００１７】
ここで、図２は、構成例（Ａ）に係る貼着装置１０１の吸着部５、収容体７、及び超音波探触子９を、図１に示す矢印Ａの方向から観た断面図（上面断面図）である。図１及び図２に示すように、本構成例（Ａ）においては、吸着口５ａを構成する空間と、収容体収納部５ｂを構成する空間と、は同一の空間である。
【００１８】
前記収容体７は、超音波探触子９の超音波送受波面９ａを、被検体１０３表面に対して露出させた状態で収容する部材である。
前記超音波探触子９は、超音波を送受波する超音波プローブであり、単振動子がアレイ状に配設されている。なお、各単振動子は、送受信部（不図示）からの指示に応じて、超音波を送信するとともに、その反射波を受信する。この超音波探触子９により受信された反射波は、超音波診断装置（不図示）と接続されているプローブケーブルを介して、エコー信号として送受信部（不図示）へと出力される。
〈構成例（Ｂ）〉
以下、本第１実施形態に係る貼着装置の構成例（Ｂ）について説明する。なお、説明の重複を避ける為、構成例（Ａ）との相違点のみを説明する。
【００１９】
図３は、本発明の第１実施形態に係る貼着装置の構成例（Ｂ）を示す図である。なお、図３においては、レギュレータ１ｂ及び圧力メータ１ｃは不図示としている。図４は、構成例（Ｂ）に係る貼着装置１０１の吸着部５、収容体７、及び超音波探触子９を、図３に示す矢印Ａの方向から観た断面図（上面断面図）である。
【００２０】
構成例（Ａ）に係る貼着装置と構成例（Ｂ）に係る貼着装置との主な相違点は、吸着部５に設けられた吸着口５ａ及び収容体収納部５ｂの構成である。すなわち、本構成例（Ｂ）では、吸着口５ａと収容体収納部５ｂとは別個に独立して設けられている。
〈構成例（Ｃ）〉
以下、本第１実施形態に係る貼着装置の構成例（Ｃ）について説明する。なお、説明の重複を避ける為、構成例（Ｂ）との相違点のみを説明する。
【００２１】
図５は、本発明の第１実施形態に係る貼着装置の構成例（Ｃ）を示す図である。なお、図５においては、レギュレータ１ｂ及び圧力メータ１ｃは不図示としている。
構成例（Ｂ）に係る貼着装置と構成例（Ｃ）に係る貼着装置との主な相違点は、収容体７の有無である。すなわち、本構成例（Ｃ）では、収容体７を用いず、吸着部５の収容体収納部５ｂ内に直接的に超音波探触子９を収納する。つまり、収容体収納部５ｂが収容体７の機能を兼ね備えている。
【００２２】
以上説明したように、本第１実施形態によれば、拍動する診断対象物に対しても超音波探触子を安定して所望位置で保持することが可能な貼着装置を提供することができる。
[第２実施形態]
以下、本発明の第２実施形態に係る貼着装置について、図面を参照して説明する。詳細は後述するが、第１実施形態に係る貼着装置と本第２実施形態に係る貼着装置との主な相違点は、吸着部５に設けられた吸着口５ａの数である。本第２実施形態に係る貼着装置は、吸着部５に吸着口５ａが複数設けられている。
<構成例（Ｄ）>
図６は、本発明の第２実施形態に係る貼着装置の構成例（Ｄ）を示す図である。図６においては、レギュレータ１ｂ及び圧力メータ１ｃは不図示としている。図７は、構成例（Ｄ）に係る貼着装置１０１の吸着部５、収容体７、及び超音波探触子９を、図６に示す矢印Ａの方向から観た断面図（上面断面図）である。なお、説明の重複を避ける為、上述した構成例（Ａ）との相違点のみを説明する。
【００２３】
構成例（Ａ）に係る貼着装置と構成例（Ｄ）に係る貼着装置との主な相違点は、吸着口の個数である。すなわち、本構成例（Ｄ）では、吸着口５ａが２個設けられている。具体的には、吸着部５には、収容体収納部５ｂと空間を共有する吸着口５ａと、収容体収納部５ｂとは別個の吸着口５ａ´と、が設けられている。
〈構成例（Ｅ）〉
図８は、本発明の第２実施形態に係る貼着装置の構成例（Ｅ）を示す図である。図８においては、レギュレータ１ｂ及び圧力メータ１ｃは不図示としている。図９は、構成例（Ｅ）に係る貼着装置１０１の吸着部５、収容体７、及び超音波探触子９を、図８に示す矢印Ａの方向から観た断面図（上面断面図）である。なお、説明の重複を避ける為、上述した構成例（Ｄ）との相違点のみを説明する。
【００２４】
構成例（Ｄ）に係る貼着装置と構成例（Ｅ）に係る貼着装置との主な相違点は、吸着口５ａの構成、及び吸引機構１の構成である。
すなわち、本構成例（Ｅ）では、全ての吸着口５ａが、収容体収納部５ｂとは別個の吸着口（吸着口５ａ，５ａ´）として設けられている。
【００２５】
さらに、本構成例（Ｅ）では、これら吸着口５ａ，５ａ´が、それぞれ独立して別個の吸引機構１，１´に連結されている。
以上説明したように、本第２実施形態によれば、第１実施形態に係る貼着装置と同様の効果を奏する上に、より安定して超音波探触子９を保持することが可能な貼着装置を提供することができる。
[第３実施形態]
以下、本発明の第３実施形態に係る貼着装置について、図面を参照して説明する。詳細は後述するが、本第３実施形態に係る貼着装置と第１実施形態に係る貼着装置との主な相違点は、被検体１０３に対する超音波探触子９の角度調整機能の有無である。
<構成例（Ｆ）>
図１０は、本発明の第３実施形態に係る貼着装置の構成例（Ｆ）を示す図である。図１０においては、レギュレータ１ｂ及び圧力メータ１ｃは不図示としている。なお、説明の重複を避ける為、上述した構成例（Ａ）との相違点のみを説明する。
【００２６】
構成例（Ｆ）に係る貼着装置と構成例（Ａ）に係る貼着装置との主な相違点は、被検体１０３に対する超音波探触子９の角度調節機能の有無である。すなわち、本構成例（Ａ）に係る貼着装置１０１では、吸着部５に、収容体７を回動可能に連結するヒンジ(蝶番)５ｆと、収容体７を回動させることで当該収容体７に収容された超音波探触子９の被検体１０３に対する角度を調整する角度調整手段である螺子部材５ｇと、が設けられている。
【００２７】
詳細には、吸着部５における収容体７との対向面に螺子部材５ｇを挿入する為の螺子穴部を設け、該螺子穴部にねじ部材５ｇを螺合させて捩じ込む。収容体７については、吸着部５との対向面の一端を、ヒンジ５ｆによって吸着部５に連結する。これにより、収容体７の被検体１０３に対する角度が調節可能になる
このような構成を採ることで、螺子部材５ｇを被検体１０３に向かって捩じ込むことで、螺子部材５ｇにより押圧された収容体７がヒンジ５ｆを支点にして回動する。つまり、収容体７に収容された超音波探触子９の被検体１０３に対する角度を変化させることができる。
【００２８】
なお、図１０に示す例では、収容体７の回動方向は前記ヒンジ（蝶番）５ｆの回動方向に限定される。
〈構成例（Ｇ）〉
図１６は、本発明の第３実施形態に係る貼着装置の構成例（Ｇ）を示す図である。図１１においては、レギュレータ１ｂ及び圧力メータ１ｃは不図示としている。なお、説明の重複を避ける為、上述した構成例（Ｆ）との相違点のみを説明する。
【００２９】
構成例（Ｇ）に係る貼着装置と構成例（Ｆ）に係る貼着装置との主な相違点は、収容体７を回動させることで当該収容体７に収容された超音波探触子９の被検体１０３に対する角度を調整する角度調整手段である。すなわち、本構成例（Ｇ）に係る貼着装置１０１では、角度調整手段として螺子部材５ｇの代わりに棒状部材５ｋを用いる。
【００３０】
他方、吸着部５には、棒状部材５ｋを挿入する為の貫通孔が設けられている。ここで、この貫通孔の内径は、棒状部材５ｋの外径よりも僅かに小さく設定する。つまり、吸着部５に設けられた貫通孔に対して棒状部材５ｋを圧入する形態にすることで、棒状部材５ｋの抜け落ちを防止する。
【００３１】
なお、棒状部材５ｋの表面に抜け落ち防止加工を施しても勿論よい。
〈構成例（Ｈ）〉
図１２は、本発明の第３実施形態に係る貼着装置の構成例（Ｈ）を示す図である。図１２においては、レギュレータ１ｂ及び圧力メータ１ｃは不図示としている。なお、説明の重複を避ける為、上述した構成例（Ｆ）との相違点のみを説明する。
【００３２】
構成例（Ｈ）に係る貼着装置と構成例（Ｆ）に係る貼着装置との主な相違点は、収容体７を回動させることで当該収容体７に収容された超音波探触子９の被検体１０３に対する角度を調整する角度調整手段である。すなわち、本構成例（Ｈ）に係る貼着装置１０１では、角度調整手段として螺子部材５ｇの代わりに角度調整用器具５ｍを用いる。
【００３３】
前記角度調整用器具５ｍは、吸着部５に設けられた貫通孔に挿入する棒状部材５ｍ１と、器具本体５ｍ２と、該棒状部材５ｍ１と器具本体と５ｍ２とを回動可能に連結するヒンジ５ｍ３と、当該角度調整用器具５ｍを人体内に挿入する為のトロカール５ｍ４と、を備える。
【００３４】
このような構成を採り、器具本体５ｍ２を操作することで、ヒンジ５ｍ３を回動させて、棒状部材５ｍ１の挿入／引き抜きを行う。これにより、棒状部材５ｍ１による収容体７への押圧力が変化し、収容体７内に収容された超音波探触子９の被検体１０３に対する角度が変化する。
〈構成例（Ｉ）〉
図１３は、本発明の第３実施形態に係る貼着装置の構成例（Ｉ）を示す図である。図１３においては、レギュレータ１ｂ及び圧力メータ１ｃは不図示としている。なお、説明の重複を避ける為、上述した構成例（Ｈ）との相違点のみを説明する。
【００３５】
構成例（Ｉ）に係る貼着装置と構成例（Ｈ）に係る貼着装置との主な相違点は、収容体７を回動させることで当該収容体７に収容された超音波探触子９の被検体１０３に対する角度を調整する角度調整手段である。すなわち、本構成例（Ｉ）に係る貼着装置１０１では、角度調整手段として角度調整用器具５ｍの代わりにシリンジ空圧器具５ｘを用いる。
【００３６】
前記シリンジ空圧器具５ｘは、吸着部５に設けられた貫通孔に挿入する棒状部材５ｘ１と、空圧供給管５ｘ２と、棒状部材５ｘ１と空圧供給管５ｘ２とを連結する継ぎ手５ｘ３と、空圧供給管５ｘ２内の圧力を増減させる為のシリンジ５ｘ４と、を備える。
このような構成を採り、シリンジ５ｘ４を操作することで、空圧供給管５ｘ２及び継ぎ手５ｘ３内の圧力を増加／減少させて、棒状部材５ｘ１の挿入／引き抜きを行う。これにより、棒状部材５ｘ１による収容体７への押圧力が変化し、収容体７内に収容された超音波探触子９の被検体１０３に対する角度が変化する。
【００３７】
なお、前記棒状部材５ｘ１には、抜け防止の為の突起部を設ける加工を施してもよい。
〈構成例（Ｊ）〉
図１４は、本発明の第３実施形態に係る貼着装置の構成例（Ｊ）を示す図である。図１４においては、レギュレータ１ｂ及び圧力メータ１ｃは不図示としている。なお、説明の重複を避ける為、上述した構成例（Ｉ）との相違点のみを説明する。
【００３８】
構成例（Ｊ）に係る貼着装置と構成例（Ｉ）に係る貼着装置との主な相違点は、収容体７を回動させることで当該収容体７に収容された超音波探触子９の被検体１０３に対する角度を調整する角度調整手段である。すなわち、本構成例（Ｊ）に係る貼着装置１０１では、角度調整手段としてシリンジ空圧器具５ｘの代わりにエアーコンプレッサ空圧器具５ｙを用いる。
【００３９】
前記エアーコンプレッサ空圧器具５ｙは、吸着部５に設けられた貫通孔に挿入する棒状部材５ｙ１と、空圧供給管５ｙ２と、棒状部材５ｙ１と空圧供給管５ｙ２とを連結する継ぎ手５ｙ３と、空圧供給管５ｙ２内の圧力を可変する為のエアーコンプレッサ５ｙ５と、を備える。
【００４０】
このような構成を採り、エアーコンプレッサ５ｙ５を操作することで、空圧供給管５ｙ２及び継ぎ手５ｙ３内の圧力を増加／減少させて、棒状部材５ｙ１の挿入／引き抜きを行う。これにより、棒状部材５ｙ１による収容体７への押圧力が変化し、収容体７内に収容された超音波探触子９の被検体１０３に対する角度が変化する。
【００４１】
以上説明したように、本第３実施形態によれば、第１実施形態に係る貼着装置と同様の効果を奏する上に、被検体１０３に対する超音波探触子９の接触角度を調整可能な貼着装置を提供することができる。
具体的には、本第３実施形態に係る貼着装置によれば、ヒンジ５ｆによる収容体７の回動方向に、超音波送受波面９ａの角度調整が可能になる。つまり、角度調整の自由度が向上する。
【００４２】
超音波探触子９を診断対象部位近傍に当接させて診断を行う目的の１つとして、図１０から図１４に示すように被検体１０３中に存在する血管２０１内を流れる血流の観察を挙げることができる。この観察には超音波ドップラー検査法が利用される。超音波ドップラー検査法で血流を観察するには、血流の進行方向に対して、超音波の入射角度を調整する必要がある。
【００４３】
すなわち、血流の方向に対して垂直に超音波を照射した場合にはドップラー効果が発生せず、血流の観察を行うことができない。特に、冠動脈のように臓器表面に沿って血管２０１が走行している場合には、超音波プローブを臓器に当接して観察すると、血流方向と超音波の入射角度とが成す角度が９０度近くになり、ドップラー効果を得ることが難しい。
【００４４】
これに対し、本第３実施形態に係る貼着装置によれば角度調整が可能になるので、血流の進行方向に対して、超音波の入射角度を調整することができる。つまり、角度調整の自由度が向上し、超音波探触子９から発せられる超音波の送受波面の向きの微調整が可能になる。従って、血液の流れに対する感度を向上させることができ、血管２０１の状態や位置、血管２０１内を流れる血流の状態をより容易に探索することができるようになる。
【００４５】
なお、従来より、被検体に対する吸着の安定性（所望位置における超音波探触子の安定した保持）を確保した上で、尚且つ被検体に対する超音波探触子の接触角度を調整したいとの要望が存在する。上述した第３実施形態に係る貼着装置によれば、このような要望にも応えることができる。
［第４実施形態］
以下、本発明の第４実施形態に係る貼着装置について、図面を参照して説明する。詳細は後述するが、第２実施形態に係る貼着装置の構成例（Ｅ）と本第４実施形態に係る貼着装置との主な相違点は、吸引機構１の構成である。本第４実施形態に係る貼着装置は、吸引機構１に計算回路１ｘ（制御手段）と、空圧センサ１ｙと、モニタ（吸引圧表示手段）とが設けられている。
〈構成例（Ｋ）〉
図１５は、本発明の第４実施形態に係る貼着装置の構成例（Ｋ）を示す図である。図１５においては、レギュレータ１ｂ及び圧力メータ１ｃは不図示としている。図１６は、構成例（Ｋ）に係る貼着装置１０１の吸着部５、収容体７、及び超音波探触子９を、図１５に示す矢印Ａの方向から観た断面図（上面断面図）である。なお、説明の重複を避ける為、上述した図８の構成例（Ｅ）との相違点のみを説明する。
【００４６】
構成例（Ｋ）に係る貼着装置と構成例（Ｅ）に係る貼着装置との主な相違点は、複数の吸着口のうち吸着口５ａが連結されている吸引機構１の構成である。
すなわち、本構成例（Ｋ）においては、吸引機構１は、吸引機１ａと、レギュレータ１ｂ、圧力メータ１ｃ、及びリザーバ１ｄに加えて、計算回路１ｘ（制御手段）と、空圧センサ１ｙと、モニタ（吸引圧表示手段）とを更に備える。
【００４７】
前記計算回路１ｘは、空圧センサ１ｙによって検出された吸着口５ａの吸引圧と、予め設定された吸引圧と、に基づいて吸引機１ａの吸引圧を制御する装置である。吸引機１ａの吸引圧の制御は、吸引機１ａの動力の出力を制御する。また、空圧供給管に弁を介して吸引力の異なる複数の吸引機を接続しておき、弁の開閉を制御してよい（不図示）。前記空圧センサ１ｙは、吸着口５ａにおける吸引圧（吸引機１ａの吸引圧）を検出する装置である。
【００４８】
つまり、本構成例（Ｋ）に係る貼着装置では、吸引機構１による吸引については計算回路１ｘによってフィードバック制御が行われる。
図１５は、計算回路１ｘと、空圧センサ１ｙが吸引機構１にのみ備えられているが、その他に吸引機構（例えば吸引機構１´）があれば吸引機構１と同様に、計算回路１ｘと、空圧センサ１ｙが備えられてもよい。その場合、吸引圧を表示するモニタは、吸引機構ごとに備えられてもよいし、１つモニタで空圧センサを備えたすべての吸引機構の吸引圧を表示するようにしてもよい。
【００４９】
また、複数の吸引機構の空圧センサと１つの計算回路１ｘとを接続し、さらにそれぞれの吸引機構の吸引機とその計算回路を接続してフィードバック制御してもよい。
〈構成例（Ｌ）〉
図１７は、本発明の第４実施形態に係る貼着装置の構成例（Ｌ）を示す図である。図１７においては、レギュレータ１ｂ及び圧力メータ１ｃは不図示としている。図１８は、構成例（Ｌ）に係る貼着装置１０１の吸着部５、収容体７、及び超音波探触子９を、図１７に示す矢印Ａの方向から観た断面図（上面断面図）である。なお、説明の重複を避ける為、上述した構成例（Ｅ）との相違点のみを説明する。
【００５０】
構成例（Ｅ）に係る貼着装置と構成例（Ｌ）に係る貼着装置との主な相違点は、複数の吸着口のうち吸着口５ａが連結されている吸引機構１の構成である。
すなわち、本構成例（Ｌ）においては、吸引機構１は、吸引機１ａと、レギュレータ１ｂ、圧力メータ１ｃ、及びリザーバ１ｄに加えて、調節弁１ｚを更に備える。前記調節弁１ｚは、ユーザが吸着口５ａにおける吸引圧（吸引機１ａの吸引圧）の微妙な調整を行う為の吸引圧調節弁である。つまり、本構成例（Ｌ）によれば、吸引機構１による吸引についてはユーザによる精密な調整が可能となる。
【００５１】
この調節弁１ｚは、図１７のように空圧供給管が枝分かれした部分にあってもよいし、吸引機に内蔵（不図示）されていてもよい。
以上説明したように、本第４実施形態の構成例（Ｋ）乃至（Ｌ）によれば、第１乃至第２実施形態に係る貼着装置と同様の効果を奏する上に、より安定して超音波探触子９を保持することが可能な貼着装置を提供することができる。
【００５２】
〈構成例（Ｍ）〉
本構成例（Ｍ）に係る貼着装置は、上述した構成例（Ｌ）に係る貼着装置における吸引機構１´が、吸引機構１と同様の構成にされている。つまり、本構成例（Ｍ）によれば、吸引機構１による吸引、及び吸引機構１´による吸引の双方について、ユーザによる精密な調節が可能となる。
【００５３】
図１９は、本構成例（Ｍ）に係る貼着装置の吸着部５（吸着口５ａ，５ａ´）、収容体７、及び超音波探触子９の上面断面図である。図１９に示すように、吸着口５ａと吸着口５ａ´とについて交互に吸引力を弱め（或いは吸引を解除し）、この吸引力を弱めた（或いは吸引を解除した）吸着口側を被検体１０３上で摺動させる。この一連の作業を繰り返すことで、吸着部５を（すなわち超音波探触子９を）所望の位置へ移動させることが可能となる。換言すれば、移動させる側の吸着口の吸着力を弱め、移動の際に支点となる吸着口については吸着力を維持して固定した状態で、吸着力を弱めた吸着口側をユーザが案内手段によって案内して移動させる。
【００５４】
さらに、構成例（Ｌ）、（Ｍ）では、調節弁を操作する吸引圧操作手段を含んでもよい。  
吸引圧操作手段としては、たとえば操作レバーから希望する吸引圧力を電気信号として出力する。そして、その電気信号を電子制御可能なレギュレータ１ｂに入力して吸引圧力を操作する。このような、電気信号により空気圧力をコントロールする電子制御可能なレギュレータは電空レギュレータとして市販されており、たとえばＣＫＤ社製ＥＶ２５００などが利用できる。
【００５５】
また、構成例（Ｋ）において、吸引圧操作手段である操作レバーから電気信号を計算回路１ｘに入力して、吸引圧の設定を変更し、空圧センサからの吸引圧に基づいて計算回路１ｘによって、吸引圧をフィードバック制御してもよい。
さらに構成例（Ｋ）と構成例（Ｍ）を組み合わせて、計算回路１ｘを用いて調節弁１ｚを制御してもよい。
【００５６】
これらにより、されに精密な制御が可能になる。
なお、従来より、被検体に対する吸着の安定性（所望位置における超音波探触子の安定した保持）を確保した上で、尚且つ被検体上で超音波探触子を移動させたいとの要望が存在する。上述した第４実施形態に係る貼着装置によれば、このような要望にも応えることができる。
〈変形例１〉
本変形例１は、上述した構成例（Ａ）乃至構成例（Ｍ）に係る貼着装置に対して適用可能な変形例である。図２０に示すように、吸着部５における被検体１０３との接触面に、弾性部材５ｐを設けてもよい。このような構成を採ることで、吸着部５による被検体１０３の損傷を抑制することができる。なお、このような構成は、図１９を参照して説明したように被検体１０３上で吸着部５を摺動させる場合等には非常に有益である。
〈変形例２〉
本変形例２は、上述した構成例（Ａ）乃至構成例（Ｍ）に係る貼着装置に対して適用可能な変形例である。上述した通り、実際の超音波診断による検査時には、超音波探触子９と被検体１０３との間には弾性体（例えば特許文献１に開示されている技術における音響整合部材）を介在させることが多い。従って、例えば図２１に示すように、弾性体５３（スペーサ部材）を、超音波探触子９と被検体１０３との接触面に介在させても勿論よい。
〈変形例３〉
本変形例３は、上述した構成例（Ａ）乃至構成例（Ｍ）に係る貼着装置に対して適用可能な変形例である。図２２は、本変形例に係る貼着装置において利用するスペーサ部材５１の構成例を示す図である。
【００５７】
前記スペーサ部材５１は、例えば弾性体から成り、超音波探触子９と被検体１０３との間に介在させる部材である。なお、実際の超音波診断による検査時には、超音波探触子９と被検体１０３との間には弾性体（例えば特許文献１に開示されている技術における音響整合部材）を介在させる。
【００５８】
詳細には、前記スペーサ部材５１は、図２２に示すようにヒンジ５ｆによる回動方向（角度調整方向）に対して略垂直な方向において、被検体１０３の接触面に対して傾斜角θを有する面を持つ三角柱状の部材である。また、変形例２の弾性体５３の代わりに、このスペーサ部材５１を用いてもよい。このスペーサ部材５１は、被検体と接触する側の面が、超音波探触子９のスペーサ部材側の面に対して傾斜している部材である。以上説明したように、本変形例によれば、被検体１０３に対する超音波探触子９の角度の調整方向の自由度が向上する。
【００５９】
また、このようなスペーサ部材５１と本第３実施形態による角度調整手段を組み合わせることで、超音波探触子と非検体の間の距離を確保しつつ、超音波の照射角度を調整することができ、超音波探触子の角度を変化させるだけで広範囲の超音波を観察することが可能になる。
【００６０】
なお、前記傾斜角θの値を様々な値に設定したスペーサ部材５１を用意することで、より緻密な角度調整を行うことが可能となる。
以上、第１実施形態乃至第４実施形態に基づいて本発明を説明したが、本発明は上述した実施形態に限定されるものではなく、本発明の要旨の範囲内で、種々の変形及び応用が可能なことは勿論である。
【００６１】
さらに、上述した実施形態には種々の段階の発明が含まれており、開示した複数の構成要件の適当な組み合わせにより種々の発明が抽出され得る。例えば、実施形態に示す全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【符号の説明】
【００６２】
１…吸引機構、  １ａ…吸引機、  １ｂ…レギュレータ、  １ｃ…圧力メータ、  １ｄ…リザーバ、  １ｘ…計算回路、  １ｙ…空圧センサ、  １ｚ…調節弁、  ３…空圧供給管、  ５…吸着部、  ５ａ…吸着口、  ５ｂ…収容体収納部、  ５ｆ…ヒンジ、  ５ｇ…螺子部材、  ５ｋ…棒状部材、  ５ｍ…角度調整用器具、  ５ｍ１…棒状部材、  ５ｍ２…器具本体、  ５ｍ３…ヒンジ、  ５ｍ４…トロカール、  ５ｘ…シリンジ空圧器具、  ５ｘ１…棒状部材、  ５ｘ２…空圧供給管、  ５ｘ３…継ぎ手、  ５ｘ４…シリンジ、  ５ｙ…エアーコンプレッサ空圧器具、  ５ｙ１…棒状部材、  ５ｙ２…空圧供給管、  ５ｙ３…継ぎ手、  ５ｙ５…エアーコンプレッサ、  ５ｐ…弾性部材、  ７…収容体、  ９…超音波探触子、  ９ａ…超音波送受波面、  ５１…スペーサ部材、  ５３…弾性体、  １０１…貼着装置、  １０３…被検体。
【図１】
2011172736.tif 000003
【図２】
2011172736.tif 000004
【図３】
2011172736.tif 000005
【図４】
2011172736.tif 000006
【図５】
2011172736.tif 000007
【図６】
2011172736.tif 000008
【図７】
2011172736.tif 000009
【図８】
2011172736.tif 000010
【図９】
2011172736.tif 000011
【図１０】
2011172736.tif 000012
【図１１】
2011172736.tif 000013
【図１２】
2011172736.tif 000014
【図１３】
2011172736.tif 000015
【図１４】
2011172736.tif 000016
【図１５】
2011172736.tif 000017
【図１６】
2011172736.tif 000018
【図１７】
2011172736.tif 000019
【図１８】
2011172736.tif 000020
【図１９】
2011172736.tif 000021
【図２０】
2011172736.tif 000022
【図２１】
2011172736.tif 000023
【図２２】
2011172736.tif 000024